(57)【要約】【課題】上り光信号の伝送効率を向上させると共に、誤り符合率を改善する。【解決手段】光ファイバ１０４を介して、局Ｋからユーザ端末Ｕに向かって、連続光Ｐｃと下り光信号Ｐｄを送出する。ユーザ端末Ｕの下り光信号受信器１０７は下り光信号Ｐｄを受信する。また下り光信号Ｐｄは光リミッタアンプ１１４により消光比が減少される。反射型光変調器１０６は、連続光Ｐｃを変調して正規上り光信号Ｐｕ１を生成し、消光比が減少した下り光信号Ｐｄを変調して予備上り光信号Ｐｕ２を生成する。２つの光信号Ｐｕ１，Ｐｕ２は局Ｋに送られ上り光信号受信器１０８にて受信される。光信号Ｐｕ１，Ｐｕ２に同一の信号を振り付けた場合には、局Ｋにて光信号Ｐｕ１，Ｐｕ２を比較することにより信号状態の適否を判断でき誤り符合率を改善することができる。【選択図】        図１
2005006136.tif 000002
【特許請求の範囲】
【請求項１】
局とユーザ端末とが光ファイバで接続され、
前記局は、連続光と下り光信号を時分割方式で前記ユーザ端末に送出すると共に、前記ユーザ端末から送出された上り光信号を受信し、
前記ユーザ端末は、前記局から送出された下り光信号を受信すると共に、受信した連続光を変調して生成してなる上り光信号を前記局に送り返す反射型光通信システムにおいて、
前記ユーザ端末では、受信した連続光を第１の電気信号により変調して生成してなる正規上り光信号を前記局に送り返すのみならず、受信した下り光信号の消光比を減少させ消光比が減少した下り光信号を第２の電気信号により変調して生成してなる予備上り光信号を前記局に送り返すことを特徴とする反射型光通信システム。
【請求項２】
請求項１において、
前記ユーザ端末で用いる第１の電気信号と第２の電気信号の信号内容が同一であり、
前記局は、受信した正規上り光信号と予備上り光信号の信号内容が一致した時に信号内容が正しいと判定することを特徴とする反射型光通信システム。
【請求項３】
請求項１または請求項２のいずれか１項において、
前記局は、消光比が３〜５ｄＢとなっている下り光信号を送出することを特徴とする反射型光通信システム。
【請求項４】
請求項１乃至請求項３のいずれか１項の反射型光通信システムに用いる局であって、
この局は、連続光を送出する連続光源と、下り光信号を送出する下り光信号送信器と、上り光信号である正規上り光信号と予備上り光信号を受信する上り光信号受信器とを有していることを特徴とする反射型光通信システムの局。
【請求項５】
請求項１乃至請求項３のいずれか１項の反射型光通信システムに用いる局であって、
この局は、下り光信号と連続光を時分割方式で送出する下り光信号送信器兼連続光源と、上り光信号である正規上り光信号と予備上り光信号を受信する上り光信号受信器とを有していることを特徴とする反射型光通信システムの局。
【請求項６】
請求項１乃至請求項３のいずれか１項の反射型光通信システムに用いるユーザ端末であって、
このユーザ端末は、下り光信号を受信する下り光信号受信器と、受信した下り光信号の消光比を減少させる光リミッタアンプと、受信した連続光を第１の電気信号により変調して正規上り光信号を生成して前記局に送り返すと共に前記光リミッタアンプを通過したことにより消光比が減少した下り光信号を第２の電気信号により変調して予備上り光信号を生成して前記局に送り返す反射型光変調器とを有することを特徴とする反射型光通信システムのユーザ端末。
【請求項７】
請求項１乃至請求項３のいずれか１項の反射型光通信システムに用いるユーザ端末であって、
このユーザ端末は、下り光信号を受信すると共に、受信した連続光を第１の電気信号により変調して正規上り光信号を生成して前記局に送り返すと共に受信した下り光信号を第２の電気信号により変調して予備上り光信号を生成して前記局に送り返す下り光信号受信器兼反射型光変調器を有することを特徴とする反射型光通信システムのユーザ端末。
【請求項８】
請求項１乃至請求項３のいずれか１項の反射型光通信システムに用いるユーザ端末であって、
このユーザ端末は、下り光信号を受信すると共に、受信した下り光信号の消光比を減少させ、更に受信した連続光を第１の電気信号により変調して正規上り光信号を生成して前記局に送り返すと共に消光比を減少させた下り光信号を第２の電気信号により変調して予備上り光信号を生成して前記局に送り返す下り光信号受信器兼反射型光変調器兼光リミッタアンプを有することを特徴とする反射型光通信システムのユーザ端末。
【発明の詳細な説明】
【０００１】
【発明の属する技術分野】
本発明は、光ファイバを伝搬する高速光通信、光交換、光情報処理等の光伝送システムに適用され、特に１本の光ファイバを上り・下りの双方向で使用する反射型の光通信システムに適用して有効な技術である。
【０００２】
【従来の技術】
ＩＴ技術の発展に伴う伝送容量の増加に伴い、光ファイバの伝送帯域を有効に利用することが重要になっている。
【０００３】
図４に従来の反射型光通信システムを示す。同図に示すように、局Ｋとユーザ端末Ｕとは１本の光ファイバ１００４により接続されている。局Ｋには、連続光源１００１と下り光信号送信器１００２と光カプラ１００３と上り光信号受信器１００８が備えられている。ユーザ端末Ｕには、光カプラ１００５と反射型光変調器１００６と下り光信号受信器１００７が備えられている。なお、反射型光変調器１００６は、例えば反射型光増幅器を用いて構成されており、「上り光信号送信器」として機能するものである。
【０００４】
この反射型光通信システムでは、局Ｋ側におかれた連続光源１００１から連続光Ｐｃを送り、ユーザ端末Ｕはこの連続光Ｐｃを変調のうえで上り光信号Ｐｕとして送り返す構成になっている。このため連続光Ｐｃは連続光源１００１→光カプラ１００３→光ファイバ１００４→光カプラ１００５→反射型光変調器１００６と進んだところで反射型光変調器１００６によって変調され、反射型光変調器１００６の端面で反射され、連続光Ｐｃを変調してなる上り光信号Ｐｕは、光カプラ１００５→光ファイバ１００４→光カプラ１００３→受信器１００８と戻ってくる。
【０００５】
また一方で、下り光信号Ｐｄは、下り光信号送信器１００２→光カプラ１００３→光ファイバ１００４→光カプラ１００５→下り光信号受信器１００７と進み、ユーザ端末Ｕの下り光信号受信器１００７によって受信される。ビットレートは上り光信号Ｐｕ，下り光信号Ｐｄとも１００Ｍｂｉｔ／ｓ〜１Ｇｂｉｔ／ｓ程度である。
また、下り光信号Ｐｄと連続光Ｐｃは、局Ｋからユーザ端末Ｕに向かって、時分割方式により送出される。
【０００６】
図５に従来の反射型光通信システムの別の形態を示す。同図において、１００９は下り光信号送信器兼連続光源、１０１０は光カプラ、１０１１は光ファイバ、１０１２は下り信号受信器兼反射型光変調器、１０１３は上り光信号受信器である。
【０００７】
図５において、局Ｋに備えた下り光信号送信器兼連続光源１００９は、連続光Ｐｃと下り光信号Ｐｄを時分割で送信可能である。また、ユーザ端末Ｕに備えた下り光信号受信器兼反射型光変調器１０１２は、下り光信号Ｐｄの受信と上り光信号Ｐｕの変調を時分割で行うことができる。
【０００８】
下り光信号送信器兼連続光源１００９は、例えば直接変調型のＤＦＢレーザであり、連続光Ｐｃを送信するときにはＤＣ電流を、下り光信号Ｐｄを送信するときには変調電流を注入する。
【０００９】
また下り光信号受信器兼反射型光変調器１０１２は、例えば、非特許文献１に示す反射型の半導体光増幅器を用い、受信時には逆バイアスを印加して受光電流をモニタし、送信時には正バイアスの変調電流を注入する。
【００１０】
図４及び図５の従来の反射型光通信システムにおける信号波形を図６（ａ）（ｂ）に示す。
図６（ａ）は下り（局→ユーザ端末）の波形を示しており、下り光信号Ｐｄと連続光Ｐｃが時分割で送信される。
図６（ｂ）は上り（ユーザ端末→局）の波形を示しており、下り光信号Ｐｄ（実際にはｎｏ  ｃａｒｅ  で、どんな波形でも考慮されない）と上り光信号Ｐｕ（下りの連続光Ｐｃを光変調したもの）が時分割で送信される。また信号の消光比は上り，下りとも１０〜１３ｄＢ程度と大きい。
【００１１】
以上の反射型光通信システムを用いることで、１本の光ファイバを用いて両方向通信が可能である。またこの反射型光通信システムは、ユーザ端末Ｕが連続光源を持つ必要がなく、ユーザ端末Ｕでの機器点数が少ないというメリットがある。
【００１２】
【非特許文献１】
Ｍ．Ｏｋａｙａｓｕ，  Ｙ．Ｓｕｚｕｋｉ，  Ｎ．Ｙｏｓｈｉｍｏｔｏ，  Ｒ．Ｉｇａ，  Ｈ．Ｓｕｇｉｕｒａ，  ａｎｄ  Ｊ．Ｙｏｓｈｉｄａ，  ”Ｂｉ−ｄｉｒｅｃｔｉｏｎａｌ  ｔｒａｎｓｍｉｓｓｉｏｎ  ｅｘｐｅｒｉｍｅｎｔ  ｕｓｉｎｇ  ａ  ｓｅｍｉｃｏｎｄｕｃｔｏｒ  ｏｐｔｉｃａｌ  ａｍｐｌｉｆｉｅｒ  ｔｒａｎｓｃｅｉｖｅｒ  ｍｕｄｕｌｅ  ｆｏｒ  ＷＤＭ−ＰＯＮ  ａｎｄ  ＷＤＭ−ＬＡＮ  ａｐｐｌｉｃａｔｉｏｎｓ”，  Ｂｒｏａｄｂａｎｄ  Ａｃｃｅｓｓ  ａｎｄ  Ｔｅｃｈｎｏｌｏｇｙ，  Ｄ．Ｗ．Ｆａｕｌｋｅｒ  ａｎｄ  Ａ．Ｌ．Ｈａｒｍｅｒ（Ｅｄｓ．），ＩＯＳ  Ｐｒｅｓｓ，  １９９９，  ｐｐ．２７８−２８３，  ＩＯＳ  Ｐｒｅｓｓ，  ＩＳＢＮ  ４  ２７４  ９０２９６  Ｘ  Ｃ３０５５  、オーム社
【００１３】
【発明が解決しようとする課題】
しかしながら、上述したような従来の反射型光通信システムには以下のような問題があった。
すなわち、上り光信号Ｐｕは、局Ｋ→ユーザ端末Ｕ→局Ｋという経路に沿い往復した連続光Ｐｃであるため、伝送路中の損失の影響が大きく、そのために符号誤り率が増えてしまうという問題がある。更に説明すると、上り光信号Ｐｕは、局Ｋからユーザ端末Ｕに送られた連続光Ｐｃを変調したものであり、変調された連続光Ｐｃ（＝上り光信号Ｐｕ）は、ユーザ端末Ｕから局Ｋに送られる。つまり、局Ｋで受信する上り光信号Ｐｕ（変調された連続光Ｐｃ）は、局Ｋ→ユーザ端末Ｕ→局Ｋと往復してきた光であり、伝送距離が長いため、損失の影響を大きく受けている。
このため、従来の反射型光通信システムにおいては、上り光信号Ｐｕの符号誤り率が増えてしまうという問題があった。
【００１４】
なお、下り光信号Ｐｄは、局Ｋ→ユーザ端末Ｕと伝送されるため、即ち伝送距離が上り光信号Ｐｕの半分であるため、このような問題は生じない。
【００１５】
本発明は、上記従来技術に鑑み、上り光信号の符合誤り率を改善することができる反射型光通信システムならびにこれに用いる局及びユーザ端末を提供することを目的とする。
【００１６】
【課題を解決するための手段】
上記の問題を解決する本発明の反射型光通信システムの構成は、
局とユーザ端末とが光ファイバで接続され、
前記局は、連続光と下り光信号を時分割方式で前記ユーザ端末に送出すると共に、前記ユーザ端末から送出された上り光信号を受信し、
前記ユーザ端末は、前記局から送出された下り光信号を受信すると共に、受信した連続光を変調して生成してなる上り光信号を前記局に送り返す反射型光通信システムにおいて、
前記ユーザ端末では、受信した連続光を第１の電気信号により変調して生成してなる正規上り光信号を前記局に送り返すのみならず、受信した下り光信号の消光比を減少させ消光比が減少した下り光信号を第２の電気信号により変調して生成してなる予備上り光信号を前記局に送り返すことを特徴とする。
この場合、前記ユーザ端末で用いる第１の電気信号と第２の電気信号の信号内容が同一であり、
前記局は、受信した正規上り光信号と予備上り光信号の信号内容が一致した時に信号内容が正しいと判定したり、
前記局は、消光比が３〜５ｄＢとなっている下り光信号を送出したりするようにしてもよい。
【００１７】
また本発明に係る反射型光通信システムに用いる局は、連続光を送出する連続光源と、下り光信号を送出する下り光信号送信器と、上り光信号である正規上り光信号と予備上り光信号を受信する上り光信号受信器とを有していたり、
この局は、下り光信号と連続光を時分割方式で送出する下り光信号送信器兼連続光源と、上り光信号である正規上り光信号と予備上り光信号を受信する上り光信号受信器とを有していることを特徴とする。
【００１８】
また本発明に係る反射型光通信システムに用いるユーザ端末は、下り光信号を受信する下り光信号受信器と、受信した下り光信号の消光比を減少させる光リミッタアンプと、受信した連続光を第１の電気信号により変調して正規上り光信号を生成して前記局に送り返すと共に前記光リミッタアンプを通過したことにより消光比が減少した下り光信号を第２の電気信号により変調して予備上り光信号を生成して前記局に送り返す反射型光変調器とを有していたり、
このユーザ端末は、下り光信号を受信すると共に、受信した連続光を第１の電気信号により変調して正規上り光信号を生成して前記局に送り返すと共に受信した下り光信号を第２の電気信号により変調して予備上り光信号を生成して前記局に送り返す下り光信号受信器兼反射型光変調器を有していたり、
このユーザ端末は、下り光信号を受信すると共に、受信した下り光信号の消光比を減少させ、更に受信した連続光を第１の電気信号により変調して正規上り光信号を生成して前記局に送り返すと共に消光比を減少させた下り光信号を第２の電気信号により変調して予備上り光信号を生成して前記局に送り返す下り光信号受信器兼反射型光変調器兼光リミッタアンプを有することを特徴とする。
【００１９】
【発明の実施の形態】
以下に本発明の実施の形態を図面に基づき詳細に説明する。
【００２０】
［第１の実施の形態］
図１は本発明の第１の実施の形態に係る反射型光通信システムを示す。同図に示すように、局Ｋとユーザ端末Ｕとは１本の光ファイバ１０４により接続されている。局Ｋには、連続光源１０１と下り光信号送信器１０２と光カプラ１０３と上り光信号受信器１０８が備えられている。ユーザ端末Ｕには、光カプラ１０５と反射型光変調器１０６と下り光信号受信器１０７と光リミッタアンプ１１４が備えられている。なお、反射型光変調器１０６は、例えば反射型光増幅器を用いて構成されており、「上り光信号送信器」として機能するものである。
【００２１】
光リミッタアンプ１１４は、光カプラ１０５と反射型光変調器１０６との間に接続されている。この光リミッタアンプ１１４は、通過する光の入力光強度が弱いときには利得が大きくなり、通過する光の入力光強度が強いときには利得が小さくなる半導体光増幅器で構成している。このような半導体光増幅器としては、参考文献１等に記載されている半導体光増幅器がある。
【００２２】
参考文献１：Ｙ．Ｓｈｉｂａｔａ，  Ｙ．Ｙａｍａｄａ，  Ｋ．Ｈａｂａｒａ，  ａｎｄ  Ｎ．Ｙｏｓｈｉｍｏｔｏ，  ”Ｓｅｍｉｃｏｎｄｕｃｔｏｒ  ｌａｓｅｒ  ｄｉｏｄｅ  ｏｐｔｉｃａｌ  ａｍｐｌｉｆｉｅｒｓ／ｇａｔｅｓ  ｉｎ  ｐｈｏｔｏｎｉｃ  ｐａｃｋｅｔ  ｓｗｉｔｃｈｉｎｇ”，  Ｊｏｕｒｎａｌ  ｏｆ  Ｌｉｇｈｔｗａｖｅ  Ｔｅｃｈｎｏｌｏｇｙ，  ｖｏｌ．１６，  ｎｏ．１２，  ｐｐ．２２２８−２２３５，１９９８
【００２３】
このようなリミッタ特性（増幅特性）を有する光リミッタアンプ１１４を用いることによって、光リミッタアンプ１１４を通過する光信号は、光強度の弱い「０」の部分の利得が大きく、「１」の部分の利得が小さくなる。このため、光リミッタアンプ１１４を通過した光信号は、「１」部分と「０」部分とのレベル差が小さくなって平坦になってくる。このような光リミッタアンプ１１４を用いることが本システムのポイントの１つとなっている。
【００２４】
局Ｋ側では、連続光源１０１で発生した連続光Ｐｃと、下り光信号送信器１０２で発生した下り光信号Ｐｄとを、時分割方式で送出している。しかも、下り光信号Ｐｄの消光比を３〜５ｄＢと、あえて悪い値に設定している。このように、下り光信号Ｐｄの消光比を悪い値に設定していることが、本システムのポイントの１つとなっている。
【００２５】
ユーザ端末Ｕ側の反射型光変調器１０６では、連続光Ｐｃを受光すると、この連続光Ｐｃを第１の電気信号で変調して正規上り光信号Ｐｕ１を生成し、この正規上り光信号Ｐｕ１を送り返す。また反射型光変調器１０６は、光リミッタアンプ１１４を通過して消光比が１〜３ｄＢと小さくなっている下り光信号Ｐｄを受光すると、この下り光信号Ｐｄを第２の電気信号で変調して予備上り光信号Ｐｕ２を生成し、この予備上り光信号Ｐｕ２を送り返す。
【００２６】
この反射型光通信システムでは、局Ｋ側におかれた連続光源１０１から連続光Ｐｃを送り、ユーザ端末Ｕはこの連続光Ｐｃを変調のうえで正規上り光信号Ｐｕ１として送り返す構成になっている。このため連続光Ｐｃは連続光源１０１→光カプラ１０３→光ファイバ１０４→光カプラ１０５→光リミッタアンプ１１４→反射型光変調器１０６と進んだところで反射型光変調器１０６によって第１の電気信号により変調されて正規上り光信号Ｐｕ１となり、反射型光変調器１０６の端面で反射される。連続光Ｐｃを変調してなる正規上り光信号Ｐｕ１は、光リミッタアンプ１１４→光カプラ１０５→光ファイバ１０４→光カプラ１０３→上り光信号受信器１０８と戻ってくる。
【００２７】
また、下り光信号Ｐｄは、下り光信号送信器１０２→光カプラ１０３→光ファイバ１０４→光カプラ１０５→下り光信号受信器１０７と進み、ユーザ端末Ｕの下り光信号受信器１０７によって受信される。ビットレートは上り光信号Ｐｕ，下り光信号Ｐｄとも１００Ｍｂｉｔ／ｓ〜１Ｇｂｉｔ／ｓ程度である。
【００２８】
ここで大事なのは、前述したように、下り光信号送信器１０２から送出した下り光信号Ｐｄの消光比を、３〜５ｄＢ程度と悪い値に設定していることである。但し、下り光信号Ｐｄは伝送距離が短いため伝搬損失の影響が小さく、下り光信号受信器１０７にて受信した下り光信号Ｐｄの消光比が悪くても、下り光信号Ｐｄの信号状態判定をする際に問題が生じることはない。
【００２９】
また下り光信号Ｐｄは下り光信号受信器１０７で受信される他、光カプラ１０５にて分岐され、光リミッタアンプ１１４を通して反射型光変調器１０６に送られる。送られてきた下り光信号Ｐｄは、消光比が３〜５ｄＢと悪くなっているため、光リミッタアンプ１１４を通過した後の下り光信号Ｐｄは、光強度の弱い「０」の部分の利得が大きくなるとともに、「１」の部分の利得が小さくなり、その消光比は１〜２ｄＢ程度と更に小さくなる。このように消光比が極めて小さくなった下り光信号Ｐｄは、反射型光変調器１０６において、第２の電気信号で変調され、予備上り光信号Ｐｕ２となる。この予備上り光信号Ｐｕ２は、光リミッタアンプ１１４→光カプラ１０５→光ファイバ１０４→光カプラ１０３→上り光信号受信器１０８と戻ってくる。
【００３０】
このように、連続光Ｐｃを変調した正規上り光信号Ｐｕ１のみならず、消光比を小さくした下り光信号Ｐｄを変調した予備上り光信号Ｐｕ２をも、上り光信号として送り返すことができる。つまり、従来では下り光信号Ｐｄを送り返してはいたが、上り光信号として送り返すことはしていなかったが、本システムでは、この下り光信号Ｐｄをも上り光信号として利用することができるようになったため、効率よく信号（上り光信号）を送ることができるようになった。
【００３１】
この反射型光通信システムの波形を図２に示す。
図２（ａ）は下り（局→ユーザ端末）の波形であり、下り光信号Ｐｄと連続光Ｐｃが時分割で送信されている。ここで大事なのは下り光信号Ｐｄの消光比が３〜５ｄＢ程度と悪い値に設定していることである。下り光信号Ｐｄは伝送距離が短いために伝搬損失の影響が小さく、消光比が悪くとも問題は生じない。
【００３２】
図２（ｂ）は光リミッタアンプ１１４を通過して反射型光変調器１０６に向かう連続光Ｐｃ及び下り光信号Ｐｄの波形である。前述したように、光リミッタアンプ１１４は入力光強度が弱いときには利得が大きく、入力光強度が強いときには利得の小さな半導体増幅器であるため、光強度の弱い「０」の部分の利得が大きく、「１」の部分の利得が小さくなる。この結果、光リミットアンプ１１４を通過した後の下り光信号Ｐｄの消光比は、１〜２ｄＢ程度と小さくなる。
【００３３】
図２（ｃ）は、上り光信号の波形である。ここで重要なことは連続光部分を変調してなる正規上り光信号Ｐｕ１だけでなく、下り光信号部分を変調してなる予備上り光信号Ｐｕ２をも、上り光信号とすることができることである。つまり、下り光信号部分も新たに変調が可能な点である。これは、従来では使用していなかった部分（下り光信号部分）も、上り光信号として使用することになるため、効率よく上り光信号を送ることができることを意味する。
【００３４】
［第２の実施の形態］
次に本発明の第２の実施の形態を説明する。第２の実施の形態では、図１のシステム構成を用いるが、ユーザ端末Ｕ側において、連続光部分を変調した正規上り光信号Ｐｕ１と、下り光信号部分を変調した予備上り光信号Ｐｕ２に同一の信号を振り付ける。つまり正規上り光信号Ｐｕ１を生成するために連続光Ｐｃを変調する第１の電気信号の信号内容（信号情報）と、予備上り光信号Ｐｕ２を生成するために下り光信号Ｐｄ（消光比が小さくなっている下り光信号Ｐｄ）を変調する第２の電気信号の信号内容（信号情報）を等しくしている。これにより、反射型光変調器１０６から送出される正規上り光信号Ｐｕ１と予備上り光信号Ｐｕ２との信号内容が等しくなる。
【００３５】
局Ｋ側では、この２つの信号（正規上り光信号Ｐｕ１と予備上り光信号Ｐｕ２）を受信し、両者を比較する。ここで予備上り光信号Ｐｕ２と正規上り光信号Ｐｕ１が一致する場合には、信号は正しいと判定することができる。両者が一致しない場合には誤り訂正を試みるか、ユーザ端末Ｕ側に再送を要求する。
この方式により、上り信号の符号誤り率を改善することができる。
【００３６】
［第３の実施の形態］
次に本発明の第３の実施の形態を、図３を参照しつつ説明する。図３において、１０９は下り光信号送信器兼連続光源、１１０は光カプラ、１１１は光ファイバ、１１２は下り光信号受信器兼反射型光変調器、１１３は上り光信号受信器である。
【００３７】
図３において、局Ｋ側の下り光信号送信器兼連続光源１０９は、連続光Ｐｃと、消光比を３〜５ｄＢ程度に下げた下り光信号Ｐｄとを時分割で送信可能である。ユーザ端末Ｕ側の下り光信号受信器兼反射型光変調器１１２は、下り光信号Ｐｄの受信と、連続光Ｐｃの変調と下り光信号Ｐｄの変調を時分割で行うことができ、変調して生成した正規上り光信号Ｐｕ１と予備上り光信号Ｐｕ２を時分割して送出することができる。
【００３８】
下り光信号送信器兼連続光源１０９は、例えば直接変調型のＤＦＢレーザであり、連続光Ｐｃを送信するときにはＤＣ電流を、下り信号を送信するときには変調電流を注入する。
【００３９】
また下り光信号受信器兼反射型光変調１１２は、例えば参考文献２に示す反射型の半導体増幅器を用い、受信時には逆バイアスを印加して受光電流をモニタし、送信時には正バイアスの変調電流を注入する。
【００４０】
参考文献２：Ｍ．Ｏｋａｙａｓｕ，  Ｙ．Ｓｕｚｕｋｉ，  Ｎ．Ｙｏｓｈｉｍｏｔｏ，  Ｒ．Ｉｇａ，  Ｈ．Ｓｕｇｉｕｒａ，  ａｎｄ  Ｊ．Ｙｏｓｈｉｄａ，  ”Ｂｉ−ｄｉｒｅｃｔｉｏｎａｌ  ｔｒａｎｓｍｉｓｓｉｏｎ  ｅｘｐｅｒｉｍｅｎｔ  ｕｓｉｎｇ  ａ  ｓｅｍｉｃｏｎｄｕｃｔｏｒ  ｏｐｔｉｃａｌ  ａｍｐｌｉｆｉｅｒ  ｔｒａｎｓｃｅｉｖｅｒ  ｍｕｄｕｌｅ  ｆｏｒ  ＷＤＭ−ＰＯＮ  ａｎｄ  ＷＤＭ−ＬＡＮ  ａｐｐｌｉｃａｔｉｏｎｓ”，  Ｂｒｏａｄｂａｎｄ  Ａｃｃｅｓｓ  ａｎｄ  Ｔｅｃｈｎｏｌｏｇｙ，  Ｄ．Ｗ．Ｆａｕｌｋｅｒ  ａｎｄ  Ａ．Ｌ．Ｈａｒｍｅｒ（Ｅｄｓ．），ＩＯＳ  Ｐｒｅｓｓ，  １９９９，  ｐｐ．２７８−２８３，  ＩＯＳ  Ｐｒｅｓｓ，  ＩＳＢＮ  ４  ２７４  ９０２９６  Ｘ  Ｃ３０５５  、オーム社
【００４１】
さらには下り光信号受信器兼反射型光変調器１１２にかける正バイアスの変調電流を最適に設計することで、参考文献３に示すように、下り光信号受信器兼反射型光変調器１１２に、光リミッタアンプとしての機能も持たせることが可能である。つまり、下り光信号受信器兼反射型光変調器１１２を、下り光信号受信器兼反射型光変調器兼光リミッタアンプとして機能させることができる。
【００４２】
参考文献３：Ｈ．Ｔａｋｅｓｕｅ  ａｎｄ  Ｔ．Ｓｕｇｉｅ，  ”Ｄａｔａ  ｒｅｗｒｉｔｅ  ｏｆ  ｗａｖｅｌｅｎｇｔｈ  ｃｈａｎｎｅｌ  ｕｓｉｎｇ  ｓａｔｕｒａｔｅｄ  ＳＯＡ  ｍｏｄｕｌａｔｏｒ  ｆｏｒ  ＷＤＭ  ｍｅｔｒｏ／ａｃｃｅｓｓ  ｎｅｔｗｏｒｋｓ  ｗｉｔｈ  ｃｅｎｔｒａｌｉｚｅｄ  ｌｉｇｈｔ  ｓｏｕｒｃｅｓ”，  ２８ｔｈ  Ｅｕｒｏｐｅａｎ  Ｃｏｎｆｅｒｅｎｃｅ  ｏｎ  Ｏｐｔｉｃａｌ，  ＥＣＯＣ２００２，  Ｓｅｐｔｅｍｂｅｒ  ８−１２，  ２００２，  Ｃｏｐｅｎｈａｇｅｎ，  Ｄｅｎｍａｒｋ
【００４３】
図３の構成となっている反射型光通信システムにおいても、図２に示すように、連続光Ｐｃを第１の電気信号で変調して正規上り光信号Ｐｕ１を生成し、この正規上り光信号Ｐｕ１を送り返し、また消光比を小さくした下り光信号Ｐｄを第２の電気信号で変調して予備上り光信号Ｐｕ２を生成し、この予備上り光信号Ｐｕ２を送り返すことで、上り光信号の符号誤り率の改善をはかることができる。
【００４４】
【発明の効果】
以上説明したように、本発明の反射型光通信システムならびにこれに用いる局及びユーザ端末では、下り光信号の消光比を減少させ消光比が減少した下り光信号を第２の電気信号で変調して予備上り光信号を生成し、この予備上り光信号を、ユーザ端末から局に送り返すようにした。このため、連続光を第１の電気信号で変調してなる正規上り光信号と、消光比が減少した下り光信号を第２の電気信号で変調してなる予備上り光信号を、上り光信号として使用することができるので、効率よく上り光信号を送ることができる。
【００４５】
更に、第１の電気信号と第２の電気信号の信号状態を同じにし、ユーザ端末において、正規上り光信号と予備上り光信号とを比較することにより、上り光信号の符号誤り率の改善をはかることができる。
【図面の簡単な説明】
【図１】本発明の第１の実施の形態に係る反射型光通信システムを示す構成図。
【図２】実施の形態における光信号の信号波形を示す特性図。
【図３】本発明の第２の実施の形態に係る反射型光通信システムを示す構成図。
【図４】従来の反射型光通信システムを示す構成図。
【図５】従来の反射型光通信システムの別の例を示す構成図。
【図６】従来の反射型光通信システムでの光信号の信号波形を示す特性図。
【符号の説明】
１０１  連続光源
１０２  下り光信号送信器
１０３  光カプラ
１０４  光ファイバ
１０５  光カプラ
１０６  反射型光変調器
１０７  下り光信号受信器
１０８  上り光信号受信器
１０９  下り光信号送信器兼連続光源
１１０  光カプラ
１１１  光ファイバ
１１２  下り光信号受信器兼反射型光変調器
１１３  上り光信号受信器
Ｋ  局
Ｕ  ユーザ端末
Ｐｃ  連続光
Ｐｄ  下り光信号
Ｐｕ  上り光信号
Ｐｕ１  正規上り光信号
Ｐｕ２  予備上り光信号
【図１】
2005006136.tif 000003
【図２】
2005006136.tif 000004
【図３】
2005006136.tif 000005
【図４】
2005006136.tif 000006
【図５】
2005006136.tif 000007
【図６】
2005006136.tif 000008